(57)【要約】【課題】良好な高周波特性を有するコネクタ部材を提供すること。【解決手段】  隣接する第２信号接触部１３５を有する２つの信号コンタクト１３０は、１つのコンタクト対１４０を構成している。コネクタ部材の後端側から見た場合に、偶数番目のコンタクト対１４０Ｅの第２信号接触部１３５は、第１列１４２に属し、奇数番目のコンタクト対１４０Ｏの第２信号接触部１３５は、第２列１４４に属している。偶数番目のコンタクト対１４０Ｅの第２信号接触部１３５と奇数番目のコンタクト対１４０Ｏの第２信号接触部１３５との間には、グランド部材１５０の干渉防止部１５１が設けられており、それにより、偶数番目のコンタクト対１４０Ｅと奇数番目のコンタクト対１４０Ｏとの干渉が防止される。【選択図】図１０
2010238409.tif 000002
【特許請求の範囲】
【請求項１】
２つの信号コンタクトからなるコンタクト対を複数対備えると共にグランド部材を備えるコネクタ部材であって、
当該コネクタ部材の後端側から見た場合に、横方向において奇数番目となるコンタクト対の後端と前記横方向において偶数番目となるコンタクト対の後端とが前記横方向と直交する高さ方向において互いに離れて位置するように、前記コンタクト対は配置されており、
前記グランド部材は、少なくとも干渉防止部を備えており、
前記干渉防止部は、当該コネクタ部材の後端側から見た場合に、前記奇数番目となるコンタクト対の後端と前記偶数番目となるコンタクト対の後端との間に位置している
コネクタ部材。
【請求項２】
請求項１記載のコネクタ部材において、
各信号コンタクトは、中間部と、該中間部から前方に延びる第１信号接触部と、前記中間部から後方に延びる第２信号接触部とを備えており、
前記第１信号接触部は、前記横方向に一列に並べられており、
前記第２信号接触部は、第１列及び第２列にグループ化されており、
前記第１列と前記第２列とは、前記高さ方向において間を開けるように、且つ、前記第１信号接触部の列と前記高さ方向において異なる位置に位置するように、設けられている
コネクタ部材。
【請求項３】
請求項２記載のコネクタ部材において、
前記グランド部材は、前記干渉防止部から前方に延びる第１グランド接触部と、前記干渉防止部から後方に延びる第２グランド接触部とを更に備えており、
前記第１グランド接触部は、前記横方向において、前記奇数番目のコンタクト対の前記第１信号接触部と前記偶数番目のコンタクト対の前記第１信号接触部との間に位置しており、
前記第２グランド接触部は、前記奇数番目のコンタクト対のうちの一の前記コンタクト対の前記第２信号接触部と前記一のコンタクト対に最も近い前記奇数番目のコンタクト対の前記第２信号接触部との間、及び、前記偶数番目のコンタクト対のうちの一の前記コンタクト対の前記第２信号接触部と前記一のコンタクト対に最も近い前記偶数番目のコンタクト対の前記第２信号接触部との間に位置している
コネクタ部材。
【請求項４】
請求項２又は請求項３記載のコネクタ部材において、
前記中間部は、前後方向に沿って見た場合、略クランク形状を有している
コネクタ部材。
【請求項５】
請求項１乃至請求項４のいずれかに記載のコネクタ部材において、
前記コンタクト対を構成する前記２つの信号コンタクトは、前記横方向において当該２つの信号コンタクト間に位置し且つ前記横方向と直交する面を特定の面であると仮定した場合、当該特定の面に対して鏡像関係にあるように配置されている
コネクタ部材。
【請求項６】
請求項５記載のコネクタ部材において、
前記横方向において隣り合う２対の前記コンタクト対は、前記前方に延びる仮想的な軸を回転対象軸とした場合において前記２対のコンタクト対のうちの一方のコンタクト対を前記回転対象軸のまわりに１８０度回転させた際に他方のコンタクト対に一致するように、配置されている
コネクタ部材。
【請求項７】
請求項１乃至請求項６のいずれかに記載のコネクタ部材において、
前記奇数番目となるコンタクト対の後端と前記偶数番目となるコンタクト対の後端との間のすべてに位置している前記干渉防止部は、互いに一体形成されている
コネクタ部材。
【請求項８】
請求項１乃至請求項６のいずれかに記載のコネクタ部材において、
前記干渉防止部は、前記奇数番目となるコンタクト対の後端と前記偶数番目となるコンタクト対の後端との間ごとに、設けられている
コネクタ部材。
【発明の詳細な説明】
【技術分野】
【０００１】
本発明は、複数のコンタクト（ピン）を有するコネクタ部材に関し、特に、入力ピン配置と出力ピン配置に関して当該コネクタ部材内部においてピッチ変換及び配列変換をしてなるコネクタ部材に関する。
【背景技術】
【０００２】
上述したようなコネクタ部材としては、例えば、特許文献１や特許文献２に開示されているものがある。
【先行技術文献】
【特許文献】
【０００３】
【特許文献１】特開２００６−１２０３４５号公報
【特許文献２】特開２００７−０８０７８２号公報
【発明の概要】
【発明が解決しようとする課題】
【０００４】
本発明は、上述した従来のコネクタ部材と比較して、更に良好な高周波特性を有するコネクタ部材を提供することを目的とする。
【課題を解決するための手段】
【０００５】
本発明によれば、第１のコネクタ部材として、２つの信号コンタクトからなるコンタクト対を複数対備えると共にグランド部材を備えるコネクタ部材であって、
当該コネクタ部材の後端側から見た場合に、横方向において奇数番目となるコンタクト対の後端と前記横方向において偶数番目となるコンタクト対の後端とが前記横方向と直交する高さ方向において互いに離れて位置するように、前記コンタクト対は配置されており、
前記グランド部材は、少なくとも干渉防止部を備えており、
前記干渉防止部は、当該コネクタ部材の後端側から見た場合に、前記奇数番目となるコンタクト対の後端と前記偶数番目となるコンタクト対の後端との間のすべてに位置している
コネクタ部材が得られる。
【０００６】
本発明によれば、第２のコネクタ部材として、第１のコネクタ部材において、
各信号コンタクトは、中間部と、該中間部から前方に延びる第１信号接触部と、前記中間部から後方に延びる第２信号接触部とを備えており、
前記第１信号接触部は、前記横方向に一列に並べられており、
前記第２信号接触部は、第１列及び第２列にグループ化されており、
前記第１列と前記第２列とは、前記高さ方向において間を開けるように、且つ、前記第１信号接触部の列と前記高さ方向において異なる位置に位置するように、設けられている
コネクタ部材が得られる。
【０００７】
本発明によれば、第３のコネクタ部材として、第２のコネクタ部材において、
前記グランド部材は、前記干渉防止部から前方に延びる第１グランド接触部と、前記干渉防止部から後方に延びる第２グランド接触部とを更に備えており、
前記第１グランド接触部は、前記横方向において、前記奇数番目のコンタクト対の前記第１信号接触部と前記偶数番目のコンタクト対の前記第１信号接触部との間に位置しており、
前記第２グランド接触部は、前記奇数番目のコンタクト対のうちの一の前記コンタクト対の前記第２信号接触部と前記一のコンタクト対に最も近い前記奇数番目のコンタクト対の前記第２信号接触部との間、及び、前記偶数番目のコンタクト対のうちの一の前記コンタクト対の前記第２信号接触部と前記一のコンタクト対に最も近い前記偶数番目のコンタクト対の前記第２信号接触部との間に位置している
コネクタ部材が得られる。
【０００８】
本発明によれば、第４のコネクタ部材として、第２又は第３のコネクタ部材において、
前記中間部は、前後方向に沿って見た場合、略クランク形状を有している
コネクタ部材が得られる。
【０００９】
本発明によれば、第５のコネクタ部材として、第１乃至第４のコネクタ部材のいずれかにおいて、
前記コンタクト対を構成する前記２つの信号コンタクトは、前記横方向において当該２つの信号コンタクト間に位置し且つ前記横方向と直交する面を特定の面であると仮定した場合、当該特定の面に対して鏡像関係にあるように配置されている
コネクタ部材が得られる。
【００１０】
本発明によれば、第６のコネクタ部材として、第５のコネクタ部材において、
前記横方向において隣り合う２対の前記コンタクト対は、前記前方に延びる仮想的な軸を回転対象軸とした場合において前記２対のコンタクト対のうちの一方のコンタクト対を前記回転対象軸のまわりに１８０度回転させた際に他方のコンタクト対に一致するように、配置されている
コネクタ部材が得られる。
【００１１】
本発明によれば、第７のコネクタ部材として、第１乃至第６のコネクタ部材のいずれかにおいて、
前記奇数番目となるコンタクト対の後端と前記偶数番目となるコンタクト対の後端との間のすべてに位置している前記干渉防止部は、互いに一体形成されている
コネクタ部材が得られる。
【００１２】
本発明によれば、第８のコネクタ部材として、第１乃至第６のコネクタ部材のいずれかにおいて、
前記干渉防止部は、前記奇数番目となるコンタクト対の後端と前記偶数番目となるコンタクト対の後端との間ごとに、設けられている
コネクタ部材が得られる。
【発明の効果】
【００１３】
本発明によれば、コネクタ部材の後端側から見た場合に、奇数番目のコンタクト対の後端と偶数番目のコンタクト対の後端との間にグランド部材の有する干渉防止部が設けられていることから、両コンタクト対間の信号干渉を防止することができる。
【図面の簡単な説明】
【００１４】
【図１】本発明の実施の形態によるプラグコネクタ及びレセプタクルコネクタからなるコネクタ組立体を上面側から見た斜視図である。ここで、図示されたプラグコネクタとレセプタクルコネクタは非嵌合状態にある。
【図２】図１のコネクタ組立体を底面側から見た斜視図である。
【図３】図１のプラグコネクタを底面側から見た斜視図である。ここで、プラグコネクタを構成する前側コネクタ部材と後側コネクタ部材とは、分離されている。
【図４】図３の前側コネクタ部材を上面側から見た斜視図である。
【図５】図４の前側コネクタ部材を示す背面図である。
【図６】図４の前側コネクタ部材を底面側から見た分解斜視図である。
【図７】図６の前側コネクタ部材に含まれるハウジングの一部を背面側から見た斜視図である。
【図８】図６の前側コネクタ部材に含まれる信号コンタクト及びグランド部材を示す斜視図である。
【図９】図８の信号コンタクト及びグランド部材を分離して示す斜視図である。
【図１０】図８の信号コンタクト及びグランド部材を示す背面図である。
【図１１】図３の後側コネクタ部材を上面側から見た斜視図である。
【図１２】変形例によるグランド部材と信号コンタクトを分離して示す斜視図である。
【図１３】図１２のグランド部材と信号コンタクトを示す背面図である。
【発明を実施するための形態】
【００１５】
図１及び図２に示されるように、本発明の実施の形態によるコネクタ組立体１は、プラグコネクタ２とレセプタクルコネクタ３とからなる。プラグコネクタ２には、ケーブル４が接続されており、レセプタクルコネクタ３は基板５に搭載されている。プラグコネクタ２とレセプタクルコネクタ３とは、Ｘ方向（前後方向）において互いに嵌合・脱離可能となるように構成されている。
【００１６】
図３に示されるように、本実施の形態によるプラグコネクタ２は、前側コネクタ部材（本実施の形態における「コネクタ部材」）１０と後側コネクタ部材２０との２つの部材からなる。ここで、後側コネクタ部材２０は、ケーブル４の先端を収容するものであり、前側コネクタ部材１０は、レセプタクルコネクタ３に嵌合されるものである。
【００１７】
図４乃至図６に示されるように、前側コネクタ部材１０は、ハウジング１１０と、ハウジング１１０に保持された信号コンタクト１３０及びグランド部材１５０と、プラグコネクタ２とレセプタクルコネクタ３の嵌合状態をロックするためのロック部材１７０と、ハウジング１１０の底面を覆うシェル１９０とを備えている。ここで、本実施の形態における信号コンタクト１３０、グランド部材１５０、ロック部材１７０及びシェル１９０は、いずれも金属製であるが、本発明はそれに制限されない。例えば、ロック部材１７０は、同種の機能（後述）を有するものであれば本実施の形態によるものと異なる形状であっても良く、樹脂等のインシュレータで構成されていても良い。
【００１８】
図６に示されるように、ハウジング１１０は、Ｙ方向（横方向）に延びる主部１１１と、主部１１１のＹ方向両端からＸ方向に沿って延びる側部１１２とを備えている。主部１１１と側部１１２とは、Ｚ方向（高さ方向）に沿って見た場合に、略コの字形状を構成している。
【００１９】
図６及び図７を参照すると、主部１１１は、略板状の前部１１３と、ＸＺ平面において略コの字状の断面を有する後部１１４とを備えている。図７に示されるように、前部１１３の上面上には、Ｘ方向に沿って延びるコンタクト保持部１１５が形成されている。本実施の形態において、コンタクト保持部１１５は、凸状の断面を有する溝である。後部１１４は、Ｙ方向に延びる上部１１６と、Ｚ方向において上部１１６と対向する下部１１７と、上部１１６と下部１１７とをそれらの前端で接続する前壁部１１８とを備えており、これら上部１１６、下部１１７及び前壁部１１８によって、後部１１４内には、スペースが規定されている。本実施の形態において、前壁部１１８はＹＺ平面に平行に延びており、コンタクト保持部１１５は、この前壁部１１８をＸ方向において貫通している。上部１１６と下部１１７の互いに対向する面上には、コンタクト保持部１２０及び１２１が形成されている。ここでコンタクト保持部１２０及び１２１は、凸状の断面を有する溝である。また、Ｚ方向において、コンタクト保持部１１５は、コンタクト保持部１２０とコンタクト保持部１２１との間に位置している。更に、下部１１７と上部１１６には、グランド部材１５０の位置決め・固定用の凹部１２２と固定孔１２３とがそれぞれ形成されている。図６及び図７から理解されるように、本実施の形態において、凹部１２２と固定孔１２３とは、後部１１４のＹ方向両端部とＹ方向中央部の３カ所にそれぞれに形成されている。
【００２０】
図６及び図７を参照すると、側部１１２には、それぞれロック部材１７０を収容するための収容部１２４が形成されている。また、側部１１２の前端には、レセプタクルコネクタ３にプラグコネクタ２を嵌合する際（例えば、図２参照）にガイドとなるガイドポスト１２５が形成されている。更に、ハウジング１１０の下面には、複数の圧入孔１２６が設けられている。この圧入孔１２６は、シェル１９０をハウジング１１０の下面に取り付ける際に利用される。
【００２１】
図６、図８〜図１０を参照すると、信号コンタクト１３０は、中間部１３１と、中間部１３１から前方に向かって（即ち、Ｘ方向において前側コネクタ部材１０の前端部１０ａに向かって：例えば、図３参照）延びる第１信号接触部１３３と、中間部１３１から後方に向かって（即ち、Ｘ方向において前側コネクタ部材１０の後端部１０ｂに向かって：例えば、図３参照）延びる第２信号接触部１３５とを備えている。即ち、第１信号接触部１３３は信号コンタクト１３０の前端を構成し、第２信号接触部１３５は信号コンタクト１３０の後端を構成している。図９に最も良く示されるように、本実施の形態における中間部１３１は、主としてＹＺ平面に平行となるように設けられており、Ｘ方向に沿って見た場合に、略クランク形状を有している。第１信号接触部１３３は、コンタクト保持部１１５に保持される部位であり、第２信号接触部１３５は、コンタクト保持部１２０又はコンタクト保持部１２１に保持される部位である。
【００２２】
本実施の形態によるグランド部材１５０は、Ｙ方向に延びる干渉防止部１５１と、干渉防止部１５１から前方に向かって延びる複数の第１グランド接触部１５３と、干渉防止部１５１から後方に向かって延びる複数の第２グランド接触部１５５と、Ｕ字状のシェル接続部１５７と、干渉防止部１５１の上端から前方に延びる被固定部１５９とを備えている。詳しくは、シェル接続部１５７は、干渉防止部１５１の下端から後方へ延びた後、前方に向かうように折り返されてなるものである。従って、シェル接続部１５７の端部は前方を向いている。
【００２３】
図８及び図９に最も良く示されているように、第１信号接触部１３３及び第１グランド接触部１５３は、Ｙ方向に一列に並べられている。より具体的には、２つの信号コンタクト１３０をコンタクト対１４０とした場合に、直近の２つのコンタクト対１４０（奇数番目のコンタクト対１４０Ｏと偶数番目のコンタクト対１４０Ｅ：図１０参照）の第１信号接触部１３３の間に第１グランド接触部１５３が配置されている。即ち、第１グランド接触部１５３、第１信号接触部１３３、第１信号接触部１３３、第１グランド接触部１５３、第１信号接触部１３３、第１信号接触部１３３、第１グランド接触部１５３、・・・といったように配置されている（図８参照）。
【００２４】
一方、図１０に示されているように、第２信号接触部１３５及び第２グランド接触部１５５は、第１列１４２と第２列１４４の２列に分けられている。第１列１４２を構成する第２信号接触部１３５及び第２グランド接触部１５５と第２列１４４を構成する第２信号接触部１３５及び第２グランド接触部１５５とは、Ｚ方向において互いに間を開けるように配置されている。また、図８及び図１０から理解されるように、第１信号接触部１３３及び第１グランド接触部１５３で構成される接触部列は、Ｚ方向において、第１列１４２と第２列１４４の間に位置している。即ち、第１列１４２と第２列１４４の双方とも、第１信号接触部１３３及び第１グランド接触部１５３で構成される接触部列とはＺ方向において異なる位置に位置している。
【００２５】
更に詳しくは、図８及び図１０から理解されるように、本実施の形態においては、偶数番目のコンタクト対１４０（１４０Ｅ）の第２信号接触部１３５は第１列１４２に属し、奇数番目のコンタクト対１４０（１４０Ｏ）の第２信号接触部１３５は第２列１４４に属しており、各第２グランド接触部１５５は、第１列１４２及び第２列１４４の各列において、最も近い２つのコンタクト対１４０の間に介在している。即ち、第１列１４２においては、第２グランド接触部１５５、偶数番目のコンタクト対１４０Ｅに属する２つの第２信号接触部１３５、第２グランド接触部１５５、偶数番目のコンタクト対１４０Ｅに属する２つの第２信号接触部１３５、・・・の順番に配列されており、同様に、第２列１４４においては、奇数番目のコンタクト対１４０Ｏに属する２つの第２信号接触部１３５、第２グランド接触部１５５、奇数番目のコンタクト対１４０Ｏに属する２つの第２信号接触部１３５、第２グランド接触部１５５、・・・の順番に配列されている。
【００２６】
個々のコンタクト対１４０に着目すると、各コンタクト対１４０を構成する２つの信号コンタクト１３０は、Ｙ方向において当該２つの信号コンタクト１３０間に位置する面であってＸＺ平面と平行な面（Ｙ方向と直交する面）を特定の面であると仮定した場合、当該特定の面に対して鏡像関係にあるように配置されている。加えて、上述したように各コンタクト１３０の中間部１３１は、Ｘ方向に沿って見た場合、略クランク形状を有している。従って、各コンタクト対１４０を構成する２つの信号コンタクト１３０において、第２信号接触部１３５間の距離は第１信号接触部１３３間の距離よりも大きくなっている。即ち、信号コンタクト１３０の前側と後側では、ピッチ変換がされている。
【００２７】
また、Ｙ方向において隣り合う２対のコンタクト対１４０（即ち、Ｙ方向において最も近い奇数番目のコンタクト対１４０Ｏと偶数番目のコンタクト対１４０Ｅ）に着目すると、これら２つのコンタクト対１４０は、Ｘ方向に沿って延びる仮想的な軸を回転対象軸とした場合において、一方のコンタクト対１４０（例えば、奇数番目のコンタクト対１４０Ｏ）を回転対象軸のまわりに１８０度回転させた際に他方のコンタクト対１４０（例えば、偶数番目のコンタクト対１４０Ｅ）に一致するように、配置されている。これにより、第１信号接触部１３３は一列に並べられているのに対して、第２信号接触部１３５は二列に並べられている。即ち、信号コンタクト１３０の前側と後側では、配列変換がされている。
【００２８】
信号コンタクト１３０及びグランド部材１５０は、上記の配列条件を満たすようにして、ハウジング１１０に組み込まれる。詳しくは、まず、ハウジング１１０の後方から、第１信号接触部１３３をコンタクト保持部１１５に圧入し、且つ、上述した要件を満たすようにして第２信号接触部１３５をコンタクト保持部１２０又はコンタクト保持部１２１に圧入する。この際、一つのコンタクト対１４０の第１信号接触部１３３と、それと隣り合うコンタクト対１４０の第１信号接触部１３３との間には、第１信号接触部１３３の挿入されていないコンタクト保持部１１５が残るようにする。次いで、第１信号接触部１３３の挿入されていないコンタクト保持部１１５に対して第１グランド接触部１５３を圧入し、且つ、第２グランド接触部１５５をコンタクト保持部１２０又はコンタクト保持部１２１に圧入する。この際、被固定部１５９がハウジング１１０の固定孔１２３に圧入されると共に、シェル接続部１５７が凹部１２２に嵌め合わされる。
【００２９】
図５及び図１０から理解されるように、ハウジング１１０に対して信号コンタクト１３０及びグランド部材１５０を組み込んだ状態において、前側コネクタ部材１０の後端側から見た場合に、グランド部材１４０の中間部に設けられた干渉防止部１５１は、奇数番目となるコンタクト対１４０Ｏの第２信号接触部１３５と、これと隣り合う偶数番目となるコンタクト対１４０Ｅの第２信号接触部１３５との間のすべてに位置している。このように、干渉防止部１５１が介在していることから、隣り合うコンタクト対１４０の第２信号接触部１３５間の相互干渉が防止されている。
【００３０】
図６に示されるように、ロック部材１７０は、鈎状のロック部１７２と、ロック部１７２の移動に用いられる操作部１７４とを備えている。ロック部材１７０は、ロック部１７２をＹ方向外側に向かってガイドポスト１２５から突出させるように、且つ、操作部１７４をＹ方向内側に向かうように押圧された際に当該押圧操作によってロック部１７２がガイドポスト１２５内に引っ込むように、ハウジング１１０の収容部１２４に収容されている。
【００３１】
図３及び図６から理解されるように、シェル１９０は、ＸＹ平面に平行な主部１９２を備えている。この主部１９２には、Ｙ方向に長手を有する窓部１９３が形成されている。窓部１９３は、前側コネクタ部材１０と後側コネクタ部材２０との接続状態を確認するためのものであり、シェル１９０がハウジング１１０に取り付けられた際に主部１１１の後端（縁：エッジ）が窓部１９３を通して見えるように設けられている。更に、シェル１９０は、レセプタクルコネクタ３のシェル（図示せず）と接続される接続部１９４と、主部１９２と接続部１９４とを連結する連結部１９６とを備えている。接続部１９４は、概略Ｙ方向に長細く延びる板状の部位である。主部１９２や接続部１９４には、複数の被圧入部１９７が形成されており、それらがハウジング１１０の圧入孔１２６に圧入されることにより、シェル１９０がハウジング１１０に取り付けられる。シェル１９０がハウジング１１０に取り付けられた状態において、主部１９２は、ハウジング１１０の側部１１２と後部１１４の下面を覆うと共に側部１１２の下部間を覆っており、一方、接続部１９４は、ハウジング１１０の前部１１３の下面上に位置している。なお、このシェル１９０のハウジング１１０への取り付けにより、グランド部材１５０のシェル接続部１５７とシェル１９０との接続も図られる。
【００３２】
図６に示されるように、本実施の形態におけるシェル１９０の主部１９２には、後側コネクタ部材２０を前側コネクタ部材１０に嵌合した状態で固定するための被圧入部１９８が更に設けられている。
【００３３】
図３及び図１１に示されるように、本実施の形態による後側コネクタ部材２０は、ハウジング２１０と、ハウジング２１０に保持されるケーブルコンタクト２２０とを備えている。
【００３４】
図１１に示されるように、ハウジング２１０には、ケーブルコンタクト２２０を保持するための保持孔２１２と、前側コンタクト部材１０のシェル１９０の被圧入部１９８が圧入される圧入孔２１４とが形成されている。保持孔２１２は、Ｘ方向において、前端２１０ａから後端２１０ｂまで貫通する孔であり、ケーブルコンタクト２２０の前端部をハウジング２１０の前端２１０ａから突出させないように、ケーブルコンタクト２２０を保持している。
【００３５】
図１１に示されるように、ケーブルコンタクト２２０には、ケーブル４が接続・保持されている。また、ケーブルコンタクト２２０の前端部は、ハウジング２１０に保持された状態で、ハウジング２１０の前端２１０ａから信号コンタクト１３０の第２信号接触部１３５を受入可能な形状を有している。
【００３６】
本実施の形態においては、プラグコネクタ２を前側コネクタ部材１０と後側コネクタ部材２０とに分けたことから、前側コネクタ部材１０において信号コンタクト１３０のピッチ変換及び配列変換を行うことができ、且つ、後側コネクタ部材２０を介して前側コネクタ１０の信号コンタクト１３０とケーブル４との接続を容易に行うことができる。
【００３７】
以上、実施の形態を掲げて具体的に説明してきたが、本発明はこれに制限されるものではない。例えば、上述した実施の形態において、グランド部材１５０は一つの部材からなるものであったが、本発明はこれに限定されず、グランド部材として複数の部材を備えていても良い。
【００３８】
図１２及び図１３には、複数のグランド部材１５０ａ，１５０ｂと複数の信号コンタクト１３０との組み合わせが示されている。グランド部材１５０ａは、略クランク形状の干渉防止部１５１ａと、干渉防止部１５１ａから前方に延びる第１グランド接触部１５３ａと、干渉防止部１５１ａから後方に延びる第２グランド接触部１５５ａとを備えている。また、グランド部材１５０ｂは、略Ｊ字形状の干渉防止部１５１ｂと、干渉防止部１５１ｂから前方に延びる第１グランド接触部１５３ｂと、干渉防止部１５１ｂから後方に延び得る第２グランド接触部１５５ｂとを備えている。グランド部材１５０ａとグランド部材１５０ｂとは、Ｙ方向において概略交互に並んでいる。このようなグランド部材１５０ａ，１５０ｂの形状及び配置により、信号コンタクト１３０の第１信号接触部１３３とグランド部材１５０ａ，１５０ｂの第１グランド接触部１５３ａ，１５３ｂとは一列に並んでいる一方で、信号コンタクト１３０の第２信号接触部１３５とグランド部材１５０ａ，１５０ｂの第２グランド接触部１５５ａ，１５５ｂとは第１列１４６及び第２列１４８の二列にグループ化されている（特に、図１３を参照）。
【００３９】
かかる変形例においても、図１３から明らかなように、前側コネクタ部材１０の後端側から見た場合、干渉防止部１５１ａ及び干渉防止部１５１ｂは、奇数番目となるコンタクト対１４０Ｏの第２信号接触部１３５と、これと隣り合う偶数番目となるコンタクト対１４０Ｅの第２信号接触部１３５との間のすべてに位置している。このように、干渉防止部１５１ａ及び干渉防止部１５１ｂが介在していることから、隣り合うコンタクト対１４０の第２信号接触部１３５間の相互干渉が防止されている。
【符号の説明】
【００４０】
１        コネクタ組立体
２        プラグコネクタ
３        レセプタクルコネクタ
４        ケーブル
５        基板
１０        前側コネクタ部材（コネクタ部材）
２０        後側コネクタ部材
１１０        ハウジング
１１１        主部
１１２        側部
１１３        前部
１１４        後部
１１５        コンタクト保持部
１１６        上部
１１７        下部
１１８        前壁部
１１９        スペース
１２０        コンタクト保持部
１２１        コンタクト保持部
１２２        凹部
１２３        固定孔
１２４        収容部
１２５        ガイドポスト
１２６        圧入孔
１３０        信号コンタクト
１３１        中間部
１３３        第１信号接触部
１３５        第２信号接触部
１４０        コンタクト対
１４２，１４６        第１列
１４４，１４８        第２列
１５０，１５０ａ，１５０ｂ        グランド部材
１５１，１５１ａ，１５１ｂ        干渉防止部
１５３，１５３ａ，１５３ｂ        第１グランド接触部
１５５，１５５ａ，１５５ｂ        第２グランド接触部
１５７        シェル接続部
１５９        被固定部
１７０        ロック部材
１７２        ロック部
１７４        操作部
１９０        シェル
１９２        主部
１９３        窓部
１９４        接続部
１９６        連結部
１９７        被圧入部
１９８        被圧入部
２１０        ハウジング
２１０ａ      前端
２１０ｂ      後端
２１２        保持孔
２１４        圧入孔
２２０        ケーブルコンタクト
【図１】
2010238409.tif 000003
【図２】
2010238409.tif 000004
【図３】
2010238409.tif 000005
【図４】
2010238409.tif 000006
【図５】
2010238409.tif 000007
【図６】
2010238409.tif 000008
【図７】
2010238409.tif 000009
【図８】
2010238409.tif 000010
【図９】
2010238409.tif 000011
【図１０】
2010238409.tif 000012
【図１１】
2010238409.tif 000013
【図１２】
2010238409.tif 000014
【図１３】
2010238409.tif 000015